(57)【特許請求の範囲】
【請求項１】
計数された遊技媒体数及び店名を可視表示し、所定項目についての読取コードを機械的に読取り可能に記録した出力媒体を発行する計数発行機に対する初期設定装置において、
複数の前記計数発行機にＬＡＮ接続によって接続され、
コードデータ及びイメージデータを入力する入力手段と、
前記入力手段により入力されたデータに基づいて所定形式で可視表示する表示手段と、
前記表示手段による表示を参照しながら、前記入力手段によりコード入力及びイメージ入力及び必要に応じた修正入力を対話形式で行い、初期設定に必要な設定項目中の特定設定項目についての設定データをイメージデータとして作成するための設定データ作成手段と、
前記設定データ作成手段によって作成された前記設定データを記憶する設定データ記憶手段と、
前記特定設定項目以外の前記初期設定に必要な設定項目については、前記表示手段による表示を参照しながら、前記入力手段により対話形式でコード入力して、コードデータとして設定し、また、前記特定設定項目については、前記設定データ記憶手段に記憶された前記設定データを用いることにより、前記初期設定に必要な設定項目についての全設定データを作成し、前記全設定データを前記計数発行機に送信するための制御を行う設定項目作成送信手段と、
を備え、
前記設定データ作成手段は、
前記表示手段に、設定データの全体画像を表示する全体設定データ表示制御部と、
前記表示手段に、前記設定データを所定の部分画像に分割して拡大表示し、複数の前記部分画像を切替表示可能な拡大設定データ表示制御部と、
前記設定データ記憶手段から所定の前記設定データを一覧表示及び選択して読み出すリード処理部と、
前記設定データ記憶手段への設定データを記憶するセーブ処理部と、
拡大表示された前記部分画像を参照して、前記入力手段により入力位置を指示した後、コードデータを入力する文字入力処理部と、
前記各処理部のうちいずれかを選択する操作選択手段とを含み、
前記設定項目は、各計数発行機に固有の識別コードを含み、前記識別コードにより所定の前記計数発行機に前記設定項目作成送信手段により送信され、
それぞれの計数発行機にそれぞれの全設定データを一括で送信可能であることを特徴とする、初期設定装置。
【請求項２】
前記初期設定装置はパーソナルコンピュータである、ことを特徴とする請求項１に記載の計数発行機に対する初期設定装置。
【請求項３】
計数された遊技媒体数及び店名を可視表示し、所定項目についての読取コードを機械的に読取り可能に記録した出力媒体を発行する複数の計数発行機に対する初期設定方法であって、
コードデータ及びイメージデータを入力処理するための入力制御手順と、
前記入力制御手順により入力されたデータに基づいて所定形式で可視表示処理するための表示制御手順と、
前記表示制御手順による表示を参照しながら、コード入力処理及びイメージ入力処理及び必要に応じた修正入力処理を対話形式で行い、各計数発行機に固有の識別コードを含み初期設定に必要な設定項目中の特定設定項目についての設定データをイメージデータとして作成するための設定データ作成手順と、
前記設定データ作成手順によって作成された前記設定データを記憶する設定データ記憶手順と、
前記特定設定項目以外の前記初期設定に必要な設定項目については、前記表示制御手順による表示を参照しながら、対話形式でコード入力処理してコードデータとして設定し、前記特定設定項目については、前記設定データ記憶手順にて記憶された前記設定データを用いることにより、前記初期設定に必要な設定項目についての全設定データを作成し、作成されたそれぞれの前記全設定データを各計数発行機に前記識別コードにより一括で送信するための制御を行う設定項目作成送信手順と、
前記設定データ作成手順は、
設定データの全体画像を表示処理する全体設定データ表示制御手順と、
前記表示処理において、前記設定データを所定の部分画像に分割して拡大表示し、複数の前記部分画像を切替表示する拡大設定データ表示制御手順と、
所定の前記設定データを一覧表示及び選択して読み出すリード処理手順と、
前記設定データ記憶手順の設定データを記憶するセーブ処理手順と、
拡大表示された前記部分画像を参照して、入力位置を指示した後、コードデータを入力する文字入力処理手順と、
全体設定データ表示制御手順、前記拡大設定データ表示制御手順、リード処理手順、前記セーブ処理手順および前記文字入力処理手順のうちいずれかを選択する操作選択手順とを含む、
計数発行機に対する初期設定方法。
【発明の詳細な説明】
【０００１】
【発明の属する技術分野】
本発明は、初期設定装置に係り、特に、遊技媒体計数発行機に対する初期設定装置に関する。ここで、遊技媒体とは、例えば、パチンコ店やカジノ場等の遊技場において使用されるパチンコ玉、コイン、メダル等であり、計数発行機とは、例えば、顧客の獲得したこのような遊技媒体を計数して、その計数値、日付、店名等を記入したカード又はレシート等を発行するものである。
【０００２】
【従来の技術】
一般に、パチンコ店やカジノ等の遊技場において、顧客が遊技した結果獲得した遊技媒体（パチンコ玉、メダル、コイン等）は、計数発行機に投入されて計数される。計数発行機は、島端部、島中央部又はカウンタ部等に設けられる。計数発行機は、計数結果を、店名、日付等とともにレシートに印字して発行するようになっている。また、レシートの代わりにカード等に印字されて発行される場合もある。計数発行機に関しては、計数機と発行機とが一体になっている場合の他に、別体でケーブルにより接続されていることもある。
【０００３】
図１５に、従来のパチンコ玉計数発行機２３の外観を示す斜視図を示す。
本体２３１の上面には、パチンコを投入するホッパ２３２が設けられており、内部の計数機構によりパチンコ玉の計数を行う。本体２３１の前面には、余り玉の返却を行う返却口２３３が設けられている。ホッパ２３２上方のパネル面には表示部が設けられており、これは、景品数表示部２３５Ａ、玉総数表示部２３５Ｂ、余り玉数表示部２３５Ｃに分割されている。これらの横には、全数レシート釦２３６及び端玉返却釦２３７が設けられている。全数レシート釦は、計数総数をレシートに印字するための釦であリ、端玉返却釦は景品数分をレシートで発行した後、端玉を返却するためのものである。このパチンコ玉計数発行機２３はレシート発行機２５が一体化されており、このレシート発行機２５の右側にはカード処理機２１が隣接して設置されることもある。
【０００４】
遊技客がパチンコ玉を景品に交換する場合は、まずパチンコ玉計数発行機２３に獲得したパチンコ玉の数を計数させる。バチンコ玉計数発行機２３は、計数が終了すると計数結果をレシート発行機２５で記録紙に記録して出力する。ここでレシート発行機２５は、この計数結果を数字およびバーコードで記録する。遊技客はこの出力されたレシートを景品交換所に持参して、レシートを係員に渡して景品と交換してもらう。
【０００５】
図１６に、このようなレシートの一例を示す。パチンコ玉数と店名は目視可能に印刷され、かつ機械で読取りができるようにバーコードでも印刷されている。カードの場合にはバーコードの代わりに磁気ストライプに磁気記録される。また、計数結果と店名以外にも、日付、時刻、発行機の管理番号、レシートの連続番号等が目視可能に印刷かつ機械読取り可能にバーコードが印刷されている。
【０００６】
【発明が解決しようとする課題】
しかしながら、従来のパチンコ玉計数発行機は表面には、釦が２個しか配置されていないので、このパチンコ玉計数発行機に店名、管理番号、日付等を初期設定するには、計数発行機の表示部を見ながらこれら２個の釦を駆使して、数多い設定を行なわなければならない。そのため、１台の計数発行機の初期設定に多大な時問を要していた。また、不慣れな管理者が設定操作を行なうと間連いが生じやすく、その修正にも時間がかかっていた。さらに、その店独自のマークやロゴなどは設定することができず、不正な行為が行なわれやすいという問題があった。
【０００７】
本発明は、上記の点に鑑みてなされたもので、操作者は、初期設定する項目の内容が表示された画面を見ながら、対話形式で入力を行うことにより、簡単で使いやすい計数発行機に対する初期設定装置を提供することを目的とする。
【０００８】
また、本発明は、店独自のマークやロゴを作画機能により作成し、他の種々の設定項目はコード入力により設定した後に、所定の計数発行機に対して設定されたデータを一括送信することにより、初期設定の入力ミスが少なく、設定項目を確実にして、信頼度の高い初期設定装置を提供することを目的とする。
【０００９】
さらに、本発明は、レシートの店名部又はメッセージ部に、自由な文章や絵を書き込むことにより、他店と差別化をした店独自のレシートを発行して、不正をしにくくするとともに、宣伝効果を期待することを目的とする。
【００１０】
【課題を解決するための手段】
本発明は第１の解決手段によると、
計数された遊技媒体数及び店名を可視表示し、所定項目についての読取コードを機械的に読取り可能に記録した出力媒体を発行する計数発行機に対する初期設定装置において、
複数の前記計数発行機にＬＡＮ接続によって接続され、
コードデータ及びイメージデータを入力する入力手段と、
前記入力手段により入力されたデータに基づいて所定形式で可視表示する表示手段と、
前記表示手段による表示を参照しながら、前記入力手段によりコード入力及びイメージ入力及び必要に応じた修正入力を対話形式で行い、初期設定に必要な設定項目中の特定設定項目についての設定データをイメージデータとして作成するための設定データ作成手段と、
前記設定データ作成手段によって作成された前記設定データを記憶する設定データ記憶手段と、
前記特定設定項目以外の前記初期設定に必要な設定項目については、前記表示手段による表示を参照しながら、前記入力手段により対話形式でコード入力して、コードデータとして設定し、また、前記特定設定項目については、前記設定データ記憶手段に記憶された前記設定データを用いることにより、前記初期設定に必要な設定項目についての全設定データを作成し、前記全設定データを前記計数発行機に送信するための制御を行う設定項目作成送信手段と、
を備え、
前記設定データ作成手段は、
前記表示手段に、設定データの全体画像を表示する全体設定データ表示制御部と、
前記表示手段に、前記設定データを所定の部分画像に分割して拡大表示し、複数の前記部分画像を切替表示可能な拡大設定データ表示制御部と、
前記設定データ記憶手段から所定の前記設定データを一覧表示及び選択して読み出すリード処理部と、
前記設定データ記憶手段への設定データを記憶するセーブ処理部と、
拡大表示された前記部分画像を参照して、前記入力手段により入力位置を指示した後、コードデータを入力する文字入力処理部と、
前記各処理部のうちいずれかを選択する操作選択手段とを含み、
前記設定項目は、各計数発行機に固有の識別コードを含み、前記識別コードにより所定の前記計数発行機に前記設定項目作成送信手段により送信され、
それぞれの計数発行機にそれぞれの全設定データを一括で送信可能であることを特徴とする、初期設定装置を提供するものである。
【００１１】
また、本発明は、第２の解決手段によると、
計数された遊技媒体数及び店名を可視表示し、所定項目についての読取コードを機械的に読取り可能に記録した出力媒体を発行する複数の計数発行機に対する初期設定方法であって、
コードデータ及びイメージデータを入力処理するための入力制御手順と、
前記入力制御手順により入力されたデータに基づいて所定形式で可視表示処理するための表示制御手順と、
前記表示制御手順による表示を参照しながら、コード入力処理及びイメージ入力処理及び必要に応じた修正入力処理を対話形式で行い、各計数発行機に固有の識別コードを含み初期設定に必要な設定項目中の特定設定項目についての設定データをイメージデータとして作成するための設定データ作成手順と、
前記設定データ作成手順によって作成された前記設定データを記憶する設定データ記憶手順と、
前記特定設定項目以外の前記初期設定に必要な設定項目については、前記表示制御手順による表示を参照しながら、対話形式でコード入力処理してコードデータとして設定し、前記特定設定項目については、前記設定データ記憶手順にて記憶された前記設定データを用いることにより、前記初期設定に必要な設定項目についての全設定データを作成し、作成されたそれぞれの前記全設定データを各計数発行機に前記識別コードにより一括で送信するための制御を行う設定項目作成送信手順と、
前記設定データ作成手順は、
設定データの全体画像を表示処理する全体設定データ表示制御手順と、
前記表示処理において、前記設定データを所定の部分画像に分割して拡大表示し、複数の前記部分画像を切替表示する拡大設定データ表示制御手順と、
所定の前記設定データを一覧表示及び選択して読み出すリード処理手順と、
前記設定データ記憶手順の設定データを記憶するセーブ処理手順と、
拡大表示された前記部分画像を参照して、入力位置を指示した後、コードデータを入力する文字入力処理手順と、
全体設定データ表示制御手順、前記拡大設定データ表示制御手順、リード処理手順、前記セーブ処理手順および前記文字入力処理手順のうちいずれかを選択する操作選択手順とを含む、
計数発行機に対する初期設定方法を提供するものである。
【００１３】
【発明の実施の形態】
図１に、本発明の計数発行機に対する初期設定装置に係るシステム構成図を示す。
初期設定装置１０は、接続手段３０により計数発行機２０に接続される。
初期設定装置１０は、制御手段１１、入力手段１２、表示手段１３、記憶手段１４、送信手段１５及び外部記憶駆動手段１６等を備える。
制御手段１１は、設定項目作成送信部１１ａ、店名データ作成部１１ｂ、メッセージデータ作成部１１ｃ、入力制御部１１ｄ及び出力制御部１１ｅを含む。設定項目作成送信部１１ａは、初期設定に必要な設定項目データを作成し、計数発行機２０に送信する制御を行う。店名データ作成部１１ｂは、設定項目中の店名データを作成し、記憶手段１４の店名データ記憶部１４ａに記憶するための手段である。メッセージデータ作成部１１ｃは、設定項目中のメッセージデータを作成し、記憶手段１４のメッセージデータ記憶部１４ｂに記憶するための手段である。また入力制御部１１ｄ、出力制御部１１ｅは、それぞれ入力手段１２、出力手段１３による入力、出力制御を行う。
【００１４】
入力手段１２は、キーボード等による文字データ、コードデータと、マウス、トラックボール等による画像入力、位置指定及び機能選択等を行うものである。また、表示手段１３は、液晶ディスプレイ、プラズマディスプレイ、ＣＲＴ等で構成され、制御手段１１による処理に応じて適宜必要なデータを表示する。店名データ及びメッセージデータ等は、表示手段１３を参照しながら作成することができる。記憶手段１４は、作成された店名データ及びメッセージデータ等を記憶する店名データ記憶部１４ａ及びメッセージデータ記憶部１４ｂ、及び設定項目を記憶する設定項目記憶部１４ｃ等を含む。送信手段１５は、初期設定装置１０により設定された設定項目を計数発行機２０に転送するためのものである。設定項目データは、設定項目記憶部１４ｃに記憶される。送信手段１５は、設定項目作成送信部１１ａの制御により、設定項目データを接続デーブル３０を介して計数発行機２０に送信する。
【００１５】
外部記憶駆動手段１６は、フロッピーディスクドライブ、ハードディスクドライブ、光学的ディスクドライブ等の記録媒体の駆動装置である。これにより、フロッピーディスク、ハードディスク、光学的ディスク等の外部記録媒体に記憶されているプログラム及びデータを読み込んだり、逆に書き込んだりする。本発明の計数発行機に対する初期設定のためのプログラム等は、外部記録媒体に記録しておき、その内容を外部記憶駆動手段１６により読み込んで使用することができる。
【００１６】
計数発行機２０は、計数装置２１と発行装置２２とを備える。計数装置２１は、パチンコ玉等の遊技媒体を計数する装置である。また、発行装置２２は、計数装置２１による計数結果を、レシート等の出力媒体に記録して発行する装置である。これらの、計数装置２１及び発行装置２２は、一体型でもよいし、分離型でもよい。また、接続手段３０は、適宜、所定のインターフェース部及びコネクタ部を備える。
【００１７】
図２に、本発明の計数発行機に対する初期設定装置に係る具体的なシステム構成図の一例を示す。
【００１８】
パソコン２０１は、市販のパーソナルコンピュータである。操作者は、パソコン２０１の画面を見ながら各項目の数値入力及びイメージ入力を行う。さらに、パソコン２０１により設定されたデータを第１又は第２玉計数発行機２０３、２０４に伝送する。また、プログラムディスク２０２には、本発明に係る計数発行機に対する初期設定プログラム及びデータ等が記憶されているフロッピーディスクである。なお、予めパソコン２０１内に、このようなプログラム及びデータ等が記憶されていてもよい。これらパソコン２０１の機能及び／又はフロッピーディスクの記録内容が、本発明の計数発行機に対する初期設定装置に関連する。
【００１９】
第１及び第２玉計数発行機２０３及び２０４には、パソコン２０１と接続するための外部インターフェース基板２０８、２０９が備えられる。また、第１及び第２玉計数発行機２０３及２０４は、通信回線を介して店内又は外部のホストコンピュータに接続され管理されている場合と、スタンドアロンで動作している場合がある。ここでは、第１玉計数発行機２０３の型式番号は、例えば、ＪＢ−３０であり、また、第２玉計数発行機２０４は、例えば、他の型式番号ＪＢ−１００である。このような型式番号は、複数種類の玉計数発行機を区別するための番号の一例であり、適宜の型式番号を採用することができる。尚、ＪＢ−３０ＰとＪＢ−１００Ａは発行機が一体となったもので、ＪＢ−３０、ＪＢ−１００は、発行機が別体となっている。
【００２０】
インターフェース２０５は、例えば、ＲＳ２３２Ｃ／ＲＳ４２２変換器で構成される。必要に応じて、電源２０６であるＡＣアダプター等が設けられる。
【００２１】
接続ケーブル２０７は、例えば、第１玉計数発行機２０３側に１６ピンコネクタ２１０が接続され、また、パソコン２０１側に１５ピンコネクタ２１１が接続された専用接続ケーブルを用いることができる。パソコン２０１は、この接続ケーブル１７により、いずれかの第１又は第２玉計数発行機２０３、２０４に接続される。
【００２２】
図３に、本発明の計数発行機により発行されるレシートの一例を示す。レシート３上部には、店名枠３０１及び店名部３０２が設けられる。店名枠３０１は、所定のラインデータを選択することができる。ラインデータは、予め計数発行機に記憶されている。店名部３０２には、設定された「店名データ」が記入される。また、レシート３の下部にはメッセージ枠部３０３が設けられ、設定された「メッセージ」を記入することができる。
【００２３】
また、計数発行機番号３０４及び発行連続番号３０５と、計数発行機により計数された玉総数３０９が記入される。その他に、景品数３０７、余り数３０８、日付３１０、時刻３１１、固定表示３１２等が記入される。さらに、これらのデータのうち、玉総数３０９又は景品数３０７等の所定のデータを適宜スクランブル処理して記録したバーコード３０６が記入される。
【００２４】
図４に、本発明により初期設定された計数発行機により発行されるレシートの例を示す。
【００２５】
図４（１）において、店名枠４１を図のように選択し、店名データ及びメッセージデータを独自にイメージデータとして作成した場合である。店名部４２及びメッセージ枠部４３には、図のように表示される。これらのデータは、イメージデータ及びキャラクタデータのいずれか一方又は両方により、適宜設定することができる。また、図４（２）においては、店名データをコードデータで作成したものであり、一方、メッセージデータは、計数発行機に予め既に設定され記憶されている汎用データを使用したものである。この場合は、店名部４４及びメッセージ枠部４５は図のように表示される。
【００２６】
以下に、本発明に係る計数発行機に対する初期設定の動作を詳細に説明する。
【００２７】
図５及び図６に、本発明に係る計数発行機に対する初期設定のためのフローチャートを示す。
【００２８】
まず、初期設定装置１０（パソコン２０１）のシステムを立ち上げて、本発明に係る初期設定プログラムを起動する（Ｓ５０１）。具体的には、外部記録媒体（プログラムディスク２０２）の初期設定プログラム等を、外部記憶駆動手段１６によりロードするか、または、予め初期設定プログラムを、初期設定装置１０（パソコン２０１）に記憶しておいてもよい。初期設定プログラムがスタートすると、初期設定装置１０（パソコン２１）の表示手段１３に「メインメニュー」が表示され、操作者は、いずれかのメニューを選択する（Ｓ５０３）。
【００２９】
図７に、初期設定プログラムの「メインメニュー」の表示例を示す。なお、上部欄の「ＪＢ−３０、１００」は、計数発行機２０の形式を示している。以下各メニュー１から４を選択した場合の各動作について順に説明する。
１．通常設定項目作成＆送信（設定項目作成送信部１１ａに係る動作）
まず、「１．通常設定項目作成＆送信」を選択した場合を説明する。この項目を選択すると（Ｓ５０３）、各設定項目についての設定項目データ入力に移る（Ｓ５０５）。
【００３０】
図８に、「設定項目」の表示例を示す。
「００−店コード桁数（３、４）」は、店コードが３桁か４桁かを選択する項目である。「０１−店コード入力」は、「００−店コード桁数」に応じて定められた所定の店コードを入力する項目である。「０４−計数発行機番号」は、初期設定を行う度に、計数発行機の番号を１台ごとに設定することができる。「０６−連番継続」は、レシート上に記載された発行連続番号（例ば、図３の発行連続番号３０５）を、１日毎に、後述する初期値からカウントする場合は「０：クリア」を選択し、一方、１日毎にクリアせず連続させてカウントする場合は、「１：継続」を選択する。「０７−景品印字」及び「０８−余り印字」は、それぞれ、例えば、図３の景品数３０７及び余り数３０８について、「１：有」を選択すると印字し、一方「２：無」を選択すると印字しないようにする項目である。「０９−返却無効時刻」は、端数玉の返却を無効にする時刻を設定するものである。例えば、閉店間際の時刻を設定することにより、閉店間際には遊技客に玉を返却しないようにするものである。「１０−発行連番」は、「０６−連続継続」により印字される連続番号の開始値（初期値）を設定する項目である。「１１−景品倍率」については、例えば、通常「０１」に設定されており、これは、玉４１個が特殊景品１個分に相当する（割数４１の場合）ことを示す。ここで、特別な場合等「０２」に設定すると、玉４１個が特殊景品２個分に相当するようになる。計数発行機側では、玉数を割数（例えば、４１個）で割った値にこの景品倍率を乗算する演算を実行することにより、景品数を求める。「１２−レシート不正対策通信」は、レシートを発行するときに、計数発行機が接続されるホストコンピュータに発行の適否を確認するか否かを設定する項目である。「０：無」を選択すると確認しない設定とし、「１」及び「２」を選択すると、所定の通信方式に従ってホストコンピュータに確認するモードに設定される。これにより、異常玉数等に対して不正対策をとることができる。「１３−返却可能玉数下限値」及び「１４−返却可能玉数上限値」は、それぞれ、余り玉を返却する場合の下限値及び上限値を設定する項目である。「１５−バーコード印字不可開始時刻」及び「１６−バーコード印字不可終了時刻」は、夜中及び朝開店間際等に、不正発行できないようにするための時刻設定の項目である。この例では、夜２３：１０から翌朝８：００までは、レシート発行が禁止される。「１７−店名枠指定コード」は、図３における店名枠３０１の模様を選択する項目である。この例では、０〜７まで８種類が選択でき、これらのデータは予め計数発行機側の記憶装置等に記憶されている。
【００３１】
「１８−メッセージ枠部表示選択」は、例えば、図３のメッセージ枠部３０３の表示内容を選択する項目である。「０−２：標準」を選択すると、予め計数発行機側の記憶装置等に記憶されているメッセージデータを使用する。この例では、「０」、「１」又は「２」を選択することにより、それぞれ「毎度ありがとうございます」、「景品はご家庭のおみやげにどうぞ」又は「ＬＥＴ’Ｓ  ＰＬＡＹ  ＡＧＡＩＮ！」等のメッセージを含むメッセージデータが選択される（図４（２）メッセージ枠部４５参照）。また、「３：作成データ」を選択すると、メインメニューで「３．メッセージデータ作成」を実行することにより適宜作成されたメッセージデータを選択する。「１９−店名部表示選択」は、例えば、図３店名部３０２の表示内容を選択する項目である。「０：指定コード」を選択すると、アスキーコード、ＪＩＳコード等で文字コードを入力することができる。一方、「１：作成データ」を選択すると、メインメニューで「２．オプション店名データ作成」を実行することにより適宜作成された店名データを選択する。
【００３２】
また、「２０−データスクランブルキーパラメータ」は、以上のような設定項目によりレシートにバーコード等を印刷する場合（例えば図３のバーコード３０６）のスクランブルパラメータである。バーコード等を作成するに当たり、玉総数３０９、景品数３０７、余り数３０８等の所定のデータを、この固有パターンでスクランブルすることにより、不正を防止することができる。
【００３３】
入力手段１２により、以上のような設定項目を入力して、設定完了すると、例えば「次頁」キーを押すことにより、次の動作に移る。（一方、「終了」キーを押すと「メインメニュー」画面となる。）「次頁」キーの操作により、「１８−メッセージ枠部表示選択」項目の設定値が判断され（Ｓ５０７）、設定値に応じて以下の▲１▼又は▲２▼のように処理される。
▲１▼  「１８−メッセージ枠部表示選択」が「０」〜「２」の場合
「１９−店名部表示選択」項目による店名選択動作（Ｓ５１１）に移行する。
▲２▼  「１８−メッセージ枠部表示選択」が「３」の場合（Ｓ５０９）
図９に、「メッセージ枠部に表示する作成データ選択」画面を示す。この例では、「ＦＩＬＥ」キーを押下することにより、メッセージデータ記憶部１４ｂ内に記憶されているメッセージデータを検索する。メッセージデータは、ファイル表示部９１に一覧表示されて、マウス等で所望のデータを選択することができる。メッセージデータが選択されると、そのイメージ画像が、全体表示部９２に表示される。このようにして必要なデータファイルが決定されると、リターンキーを押下することにより、「決定」（９３）と表示される。一方、データファイル名を選択しないで「確定」キーを押下した場合は、データファイルが未選択である旨の表示がされる。
以上のようにメッセージデータが設定完了されると、「次頁」を押下する。
【００３４】
つぎに、「１９−店名部表示選択」項目の設定値が判断され（Ｓ５１１）、その設定値により、以下▲１▼又は▲２▼のように処理される。
▲１▼  「１９−店名部表示選択」項目が「０」の場合（Ｓ５１３）
この場合、「店名指定コード入力」画面が表示される。図１０に、「店名指定コード入力」画面を示す。この例では、店名をアスキーコード等のコードにより店名を入力する。入力された際に、コードが変換された文字を表示することも可能である。また、アスキーコード以外に、直接ＦＥＰで入力したり、マウス等を利用したり、周知の入力方法を適宜採用することができる。
▲２▼  「１９−店名部表示選択」項目が「１」の場合（Ｓ５１５）
図１１に、「店名枠部に表示する作成データ選択」画面を示す。この例では、「ＦＩＬＥ」キーを押下することにより、店名データ記憶部１４ａ内に記憶されている店名データを検索する。店名データは、ファイル表示部１１１に一覧表示されて、マウス等で所望のデータを選択することができる。店名データが選択されると、そのイメージ画像が、全体表示部１１２に表示される。このようにして必要なデータファイルが決定されると、リターンキーを押下することにより、「決定」（１１３）と表示される。一方、データファイル名を選択しないで「確定」キーを押下した場合は、データファイルが未選択である旨の表示がされる。
【００３５】
以上のように、「１８−メッセージ枠部表示選択」及び「１９−店名部表示選択」の各項目の設定値により、所定の処理が組み合わされてメッセージ及び店名が選択され設定される。
【００３６】
このようにして全設定項目が設定完了されれば、「確定」キーを押すことにより、「全設定完了」の表示がされる（Ｓ５１７）。その後、「前頁」を押すと「設定項目」画面に戻る。この際、設定項目に係るデータが、送信メモリに記憶される（Ｓ５１９）。送信メモリとしては、設定項目記憶部１４ｃ又はその他の記憶手段１４内の記憶領域又は送信手段１５内の記憶部等、適宜選択できる。
【００３７】
「設定項目」画面にもどると、「接続を確認し送信して下さい。」という旨の表示がなされ、送信の指示がなされる。操作者は、初期設定装置１０（パソコン２０１）と所望の計数発行機２０（玉計数発行機２０３、２０４）が接続手段３０により接続されていることを確認し、「送信」キーを押下することにより、初期設定装置１０から計数発行機２０に送信手段１５を介して、設定項目データが送信される（Ｓ５２１）。この際、「送信中」のメッセージが表示される。なお、店名データ及びメッセージデータについては、店名データ記憶部１４ａ及びメッセージデータ記憶部１４ｂのアドレス又はファイル名等を送信メモリに記憶しておき、送信する際にこれを参照することもできるし、また、送信メモリ内に直接各データを記憶しておき送信の際に直接転送することもできる。
【００３８】
また、正常に送信されるまでリトライ回数以内であれば（Ｓ５２３）、再度送信が行われる。例えばリトライ回数を３回と設定すれば、３回送信を実行して正常に完了しなければ、ステップＳ５０５の設定項目データ入力に戻る（Ｓ５２３）。「送信中」表示が消えること又は異常表示がないこと等により、正常に送信完了されたことを確認すると（Ｓ５２５）、終了キーを入力する（Ｓ５２７）。終了キーが入力されると、更新されたデータを設定項目記憶部１４ｃ又は所定の記憶部に記憶する（Ｓ５３１）。また、正常に送信された設定項目データは、計数発行機側の記憶装置に記憶される。
２．オプション店名データ作成（店名データ作成部１１ｂに係る動作）
「メインメニュー」で「２．オプション店名データ作成」を選択すると、線画データ作成プログラム（１）が起動される（Ｓ６０１）。これにより、以下のようにして、店名データを作成することができる（Ｓ６０３）。店名データは、例えば、図３の店名部３０２のようにレシートの上部に印刷されるものである。
【００３９】
図１２に、「店名データ作成」画面を示す。ここでは、店名データとして、縦４８ドット、横４４８ドットを例に説明するが、ドット数は適宜設定できる。初期設定装置１０の表示手段１３に表示された「店名データ作成」画面では、拡大表示部１２２に、店名データの全体部分を分割して部分的に拡大表示している。拡大表示部１２２の枠は、画像イメージを描画する際の便宜上１６ドットｘ１６ドットに区切ってあるが、このような仕切線は、適宜設けることもできるし、表示しなくてもよい。また、選択部１２１をマウス等で選択することにより、例えば、左画面、中央画面及び右画面を選択表示することができる。また、全体表示部１２４に、店名データ全体が表示される。分割をするかしないか、また、いくつの画面に分割するかは、画面の大きさ及びドット数等を考慮して適宜設定することができる。
【００４０】
モード選択部１２３では、以下のような操作機能を選択する。「終了」は、この作成ツールのプログラムを終了する。「クリア」は、現在編集中の画面をクリアする。「反転」をクリックすると、拡大表示部１２２及び全体表示部１２４に表示されたデータを、白黒反転したデータに変換することができる。「リード」モードは、店名データ記憶部１４ａに記憶・保存してある店名データを読み込む。「リード」モードを選択すると、画面上の一覧表示部１２５にファイルが一覧表示される。いずれかが選択されると、データイメージが拡大表示部１２２及び全体表示部１２４に表示され、操作者は希望のデータか否かを確認することができる。また、「セーブ」モードは、編集した画面データを店名データ記憶部１４ａに記憶する。「セーブ」モードでは、同様に一覧表示部１２５に既存のファイルが一覧表示され、所定のファイルに上書き保存又は新規のファイル名として保存することができる。この場合にも、既存のファイルを選択した場合には、保存する前に部分表示部１２２及び全体表示部１２４にファイルの内容が表示されることにより、確認することもできる。
【００４１】
「文字入力」は、画面にキーボード等により文字入力を行う。さらに、マウス、トラックボール等の入力手段を利用して、画像の入力を行う。例えば、マウス左側ボタンを押下することにより、線画を描画し、マウス右側ボタンを押下することにより、線画を消去することができる。この機能により、入力された文字を修正することも可能である。
【００４２】
図１３に、「文字入力」モードにおける文字入力画面を示す。まず、矢印１３１をマウス等で移動させて、入力したい位置１３２を設定する。設定すると位置座標１３３が表示される。つぎに、横ドット及び縦ドット数を選択すると、ドット選択値１３４が表示される。この例では、横ドットとして「１：１６ドット」、「２：３２ドット」のうち「２」を選択し、また、縦ドットとして「１：１６ドット」、「２：３２ドット」のうち「２」を選択したものである。このとき、図のように、３２ドットｘ３２ドットの大きさの文字枠１３５が拡大表示部に表示される。このようにして設定された文字枠１３５に従って、所望の文字を入力することができる。入力された文字は、文字入力データ部１３６に一旦表示され、所定の操作により拡大表示部及び全体表示部に表示される。なお、位置とドット数の選択によって、文字枠が拡大表示部からはみ出す場合には、適宜枠内の部分のみが採用されるようにすることができる。
【００４３】
操作者は、以上のようなモードを適宜選択して、所望の店名データを作成し、店名データ記憶部１４ａにセーブする（Ｓ６０５）。その後、「終了」をクリックすると（Ｓ６０７）、メインメニューに戻る。
３．メッセージデータ作成（メッセージデータ作成部１１ｃに係る動作）
「メインメニュー」で「３．メッセージデータ作成」を選択すると、線画データ作成プログラム（２）が起動される（Ｓ６１１）。これにより、以下のように、「店名データ」と同様に、メッセージデータを作成することができる（Ｓ６１３）。メッセージデータは、例えば、図３のメッセージ枠部３０３のようにレシートの下部に印刷されるものである。
図１４に、「メッセージデータ作成」画面を示す。ここでは、メッセージデータとして、縦７２ドット、横４４８ドットを例に説明するが、ドット数は適宜設定できる。この「メッセージデータ作成」画面では、拡大表示部１４２に、メッセージデータの全体部分を分割して部分的に拡大表示している。拡大表示部１４２の枠は、画像イメージを描画する際の便宜上２４ドットｘ１６ドットに区切ってあるが、このような仕切線は、適宜設けることもできるし、表示しなくてもよい。また、選択部１４１をマウス等で選択することにより、例えば、左画面、中央画面及び右画面を選択表示することができる。また、全体表示部１４４に、メッセージデータ全体が表示される。分割をするかしないか、また、いくつの画面に分割するかは、画面の大きさ及びドット数等を考慮して適宜設定することができる。
【００４４】
その他、モード選択部１４３、一覧表示部１４５等に関する動作は、「２．オプション店名データ作成」の場合と同様である。
【００４５】
操作者は、以上のようなモード選択部により、モードを適宜選択して、所望のメッセージデータを作成し、所定のメッセージデータ記憶部１４ｃにセーブする（Ｓ６１５）。その後、「終了」をクリックすると（Ｓ６１７）、メインメニューに戻る。
４．終了
「メインメニュー」で「終了」を押下することにより、データディスク内のファイル状態を表示した後（Ｓ６２１）、初期設定プログラムによるシステムを終了する（Ｓ６２３）。
【００４６】
以上のような、１．通常設定項目作成＆送信、２．オプション店名データ作成、３．メッセージデータ作成、及び４．終了の処理を実行することにより、計数発行機の初期設定を行うことができる。
【００４７】
なお、店名枠及びメッセージ枠等は、所望の位置に適宜印刷することができる。また、各ドット数、大きさ等も適宜設定することができる。
【００４８】
メッセージデータ、店名枠データ等の汎用データは、上述のように計数発行機２０に既に設定されていてもよいし、また、初期設定装置１０の記憶手段１４又は外部記録媒体等に適宜記憶されていてもよい。計数発行機２０に記憶されている場合は、選択するコードを初期設定装置１０から送信すれば足りるのに対し、計数発行機２０以外に記憶されている場合は、設定項目作成送信部１１ａ等の制御によりそのデータ自体も送信するようにすればよい。また、初期設定装置としてパソコンを用いたが、他の携帯端末等を用いてもよい。
【００４９】
上記の説明では、計数発行機と初期設定装置との間は、接続ケーブルで接続されていたが、電波、赤外線等の無線により信号が送信されてもよい。
【００５０】
また、遊技場内の全て又は所定の複数の遊技媒体計数発行機を、ループ型、バス型又はツリー型のＬＡＮ等の回線により、初期設定装置と相互に接続することもできる。この場合、初期設定項目のデータを識別コードを含めて送信することにより、初期設定装置から所定の計数発行機の初期設定を行うことができる。識別コードとしては、例えば、図８中の「０４−計数発行機番号」を用いることができる。このような構成により、店内又は回線で接続された店外のホストコンピュータから一括して、複数の計数発行機の初期設定ができる。
【００５１】
遊技媒体としてパチンコ玉で説明したが、コイン、メダル等の遊技媒体であってもよい。
【００５２】
また、計数発行機による出力媒体としては、レシートの他にも、リサイクルカード等のカード、口座でもよい。このリサイクルカードは、繰り返し記録が可能なカードであリ、１枚のリサイクルカードに玉数を順次加算することが可能である。その際は、計数発行機にリサイクルカード発行機を備えるようにして、レシートを発行する代わリに、リサイクルカードを発行するようにすればよい。また、遊技客が、パチンコ玉等を自己の口座に預け入れる場合は、カードリーダ処理機を備えるようにして、まずカードリーダ処埋機に会員カードを挿入した後、計数発行機にパチンコ玉等の数を計数させる。この計数結果は計数機を司るホストコンピュータに送られ、ホストコンピュータは、口座番号に対応する口座に、預け入れられたパチンコ玉等の蓄積数に計数結果の分だけ加算する。
【００５３】
作画機能に関しては、独自のソフトウェアにより処理して作成するようにしたが、他の作画ソフト（図形ソフト）により作成したものをを取り込んでもよいし、スキャナーにより取り込んだものを利用してもよい。また、外部記憶駆動装置等により取り込んだものを加工してもよい。
【００５４】
【発明の効果】
本発明によると、操作者は、初期設定する項目の内容が表示された画面を見ながら、対話形式で入力を行うことにより、簡単で使いやすい計数発行機に対する初期設定装置を提供することができる。
【００５５】
また、本発明によると、店独自のマークやロゴを作画機能により作成し、他の種々の設定項目はコード入力により設定した後に、所定の計数発行機に対して設定されたデータを一括送信することにより、初期設定の入力ミスが少なく、設定項目を確実にした、信頼度の高い初期設定装置を提供することができる。
【００５６】
さらに、本発明によると、レシートの店名部又はメッセージ部に、自由な文章や絵を書き込むことにより、他店と差別化をした店独自のレシートを発行して、不正をしにくくできるとともに、宣伝効果を期待することができる。
【図面の簡単な説明】
【図１】本発明の計数発行機に対する初期設定装置に係るシステム構成図。
【図２】本発明の計数発行機に対する初期設定装置に係る具体的なシステム構成図。
【図３】本発明の計数発行機により発行されるレシートの説明図。
【図４】本発明により初期設定された計数発行機により発行されるレシートの説明図。
【図５】本発明に係る計数発行機に対する初期設定のためのフローチャート（１）。
【図６】本発明に係る計数発行機に対する初期設定のためのフローチャート（２）。
【図７】初期設定プログラムの「メインメニュー」の表示例を示す説明図。
【図８】「設定項目」の表示例を示す説明図。
【図９】「メッセージ枠部に表示する作成データ選択」画面を示す説明図。
【図１０】「店名指定コード入力」画面を示す説明図。
【図１１】「店名枠部に表示する作成データ選択」画面を示す説明図。
【図１２】「店名データ作成」画面を示す説明図。
【図１３】「文字入力」モードにおける文字入力画面を示す説明図。
【図１４】「メッセージデータ作成」画面を示す説明図。
【図１５】従来のパチンコ玉計数発行機の外観を示す斜視図。
【図１６】従来のレシートの一例を示す説明図。
【符号の説明】
１０  初期設定装置
１１  制御手段
１１ａ  設定項目作成送信部
１１ｂ  店名データ作成部
１１ｃ  メッセージデータ作成部
１４  記憶手段
１４ａ  店名データ記憶部
１４ｂ  メッセージデータ記憶部
１４ｃ  設定項目記憶部
２０  計数発行機
３０  接続手段
【図１】
0004183771.tif 000002
【図２】
0004183771.tif 000003
【図３】
0004183771.tif 000004
【図４】
0004183771.tif 000005
【図５】
0004183771.tif 000006
【図６】
0004183771.tif 000007
【図７】
0004183771.tif 000008
【図８】
0004183771.tif 000009
【図９】
0004183771.tif 000010
【図１０】
0004183771.tif 000011
【図１１】
0004183771.tif 000012
【図１２】
0004183771.tif 000013
【図１３】
0004183771.tif 000014
【図１４】
0004183771.tif 000015
【図１５】
0004183771.tif 000016
【図１６】
0004183771.tif 000017